(57)【要約】【課題】床下から室内に入り込む冷気を効果的に遮断できる床開閉構造を提供する。【解決手段】本発明の床開閉装置は、室内と床下とを連通する開口が形成された床板と、当該床板の開口を囲むように床板の下面に設けられた縁部材とを備えた建物の床部に適用される床開閉装置であって、床板が有する開口の周縁に沿って設けられる枠部材と、枠部材が有する開口を閉鎖できる形状を有する床蓋と、床蓋の下方に配置された板状の断熱材内蓋と、縁部材の下方に配置された枠状の断熱材外枠と、縁部材に固定され、断熱材外枠を縁部材に吊り下げ状態で保持する取付具と、取付具を介して縁部材に固定された断熱材外枠と縁部材との間に挟み込まれる気密材と、を備えることを特徴とする。【選択図】図２
2016160595.tif 000002
【特許請求の範囲】
【請求項１】
室内と床下とを連通する開口が形成された床板と、当該床板の開口を囲むように床板の下面に設けられた縁部材とを備えた建物の床部に適用される床開閉装置であって、
前記床板が有する開口の周縁に沿って設けられる枠部材と、
前記枠部材が有する開口を閉鎖できる形状を有する床蓋と、
前記床蓋の下方に配置された板状の断熱材内蓋と、
前記縁部材の下方に配置された枠状の断熱材外枠と、
前記縁部材に固定され、前記断熱材外枠を前記縁部材に吊り下げ状態で保持する取付具と、
前記取付具を介して前記縁部材に固定された前記断熱材外枠と前記縁部材との間に挟み込まれる気密材とを備えることを特徴とする床開閉装置。
【請求項２】
前記断熱材外枠は、その上面から外側面に亘って前記取付具の一部を嵌め込むための取付凹部を有し、
前記取付具は、前記取付凹部に嵌め込まれた状態で前記断熱材外枠の外側面の上部を保持する保持部と、前記縁部材の内側面に当接して固定される固定部と、前記気密材を介して前記縁部材の下面に当接する当接部と、を一体に有することを特徴とする請求項１に記載の床開閉装置。
【請求項３】
前記断熱材外枠は、その上面における前記取付凹部と連続する位置に当該取付凹部よりも深く掘り下げた掘込部を有し、
前記当接部は、前記掘込部に係合する突起を有することを特徴とする請求項２に記載の床開閉装置。
【請求項４】
前記断熱材外枠は、その外側面における前記取付凹部と連続する位置に当該取付凹部よりも深く掘り下げた吊掛用凹部を有し、
前記保持部は、前記断熱材外枠の外側面における前記吊掛用凹部と前記取付凹部との境界部に形成された段部に係止される吊掛部を有することを特徴とする請求項２又は３に記載の床開閉装置。
【請求項５】
前記断熱材外枠は、前記断熱材内蓋の外周縁を下から支持する内蓋受け部を有し、
前記内蓋受け部と前記断熱材内蓋との間に内蓋気密材が挟み込まれることを特徴とする請求項１〜４のいずれか一項に記載の床開閉装置。
【請求項６】
断面略コの字型形状で、室内側に開放面を有し、前記断熱材外枠が有する開口に取り付けられる床下収納庫をさらに備え、
前記床下収納庫は、前記断熱材内蓋の外周縁を下から支持する内蓋外周受け部を有し、
前記内蓋外周受け部と前記断熱材内蓋との間に内蓋外周気密材が挟み込まれることを特徴とする請求項１〜４のいずれか一項に記載の床開閉装置。
【発明の詳細な説明】
【技術分野】
【０００１】
本発明は、建築物の床下に設けられた開口を通じて床下から室内に伝わる冷気を遮断することができる床開閉装置に関する。
【背景技術】
【０００２】
上記床下に設けられた開口からの冷気を遮断する装置に関する従来技術として、例えば下記特許文献１の床下点検口が公知である。図１５は、特許文献１の床下点検口を示す概略断面図である。特許文献１に記載の床下点検口３００は、図１５に示すように、床板５ｘと、床板５ｘに形成された開口Ｋｘの縁に沿って設けられた枠部材７ｘと、枠部材７ｘが有する開口を塞ぐように取り付けられる床蓋３ｘと、床板５ｘに形成された開口Ｋｘの外縁の床下側の床板５ｘに当接する根太４ｘと、根太４ｘの内側面に当接して設けられる断熱材受枠１ｘと、断熱材受枠１ｘの内側面に取り付けられ、断熱材受枠１ｘの端部から内側に向けて延びる受け部材６ｘと、断熱材受枠１ｘの内側に嵌入され、受け部材６ｘに下面が当接する上段断熱ブロック２ｘと、上段断熱ブロック２ｘの下面に積層接着される下段断熱ブロック２ｙと、上段断熱ブロック２ｘと断熱材受枠１ｘに挟持される気密材９ｘと、を備えている。
【０００３】
下側断熱ブロック２ｙは、受け部材６ｘよりも下方に位置し、上記断熱材受枠１ｘよりも下方に突出させるようにその四隅（コーナー）が切除されている。図１５においては、下側断熱ブロック２ｙが一段のものを示しているが、使用する地域に応じて下側断熱ブロック２ｙを複数段積層することができる。
【０００４】
上記構成を有する床下点検口３００は、寒さが厳しい地域においては下側断熱ブロック２ｙの積層数を増やすことで断熱性能を強化する一方で、寒さが比較的穏やかな地域においては下側断熱ブロック２ｙを設けないことで断熱性能を弱めるというように下側断熱ブロック２ｙの積層数で断熱性能をコントロールすることができる。
【先行技術文献】
【特許文献】
【０００５】
【特許文献１】特許第５１０５９２７号公報
【発明の概要】
【発明が解決しようとする課題】
【０００６】
特許文献１に記載の床下点検口によれば、断熱材受枠１ｘ（断熱材外枠）の内側から室内に入り込む冷気を断熱材受枠１ｘ及び上下段断熱ブロック２ｘ、２ｙによって遮断することはできるが、本発明者らの検討により、上記構成の床下点検口では断熱性能が不十分であることが確認された。
【０００７】
本発明は、上記の事情に鑑みてなされたものであり、床下から室内に入り込む冷気を効果的に遮断できる床開閉装置を提供することを目的とする。
【課題を解決するための手段】
【０００８】
上記課題を解決するためのものとして、本発明の床開閉装置は、室内と床下とを連通する開口が形成された床板と、当該床板の開口を囲むように床板の下面に設けられた縁部材とを備えた建物の床部に適用されるものであって、床板が有する開口の周縁に沿って設けられる枠部材と、枠部材が有する開口を閉鎖できる形状を有する床蓋と、床蓋の下方に配置された板状の断熱材内蓋と、縁部材の下方に配置された枠状の断熱材外枠と、縁部材に固定され、断熱材外枠を縁部材に吊り下げ状態で保持する取付具と、取付具を介して縁部材に固定された断熱材外枠と縁部材との間に挟み込まれる気密材とを備えることを特徴とする（請求項１）。
【０００９】
従来の床下点検口の断熱構造においては、断熱材外枠と縁部材との間に隙間が存在していたが、特に床下と室内の温度差が大きい場合には、かかる隙間に床下の冷気が集中して室内に流れ込み、断熱性能を顕著に低下させていた。本発明によれば、断熱材外枠と縁部材との間に気密材を設けることにより、断熱材外枠と縁部材との間から室内に入り込む冷気を遮断できる。これにより床下から室内に入り込む冷気を効果的に遮断できる。
【００１０】
前記構成において、好ましくは、断熱材外枠は、その上面から外側面に亘って取付具の一部を嵌め込むための取付凹部を有し、取付具は、取付凹部に嵌め込まれた状態で断熱材外枠の外側面の上部を保持する保持部と、縁部材の内側面に当接して固定される固定部と、気密材を介して縁部材の下面に当接する当接部と、を一体に有する（請求項２）。
【００１１】
この構成によれば、取付具を断熱材外枠に固定した状態において、断熱材外枠が縁部材に当接するように固定されるため、気密材の気密性が高められる。また上記構造によれば、断熱材外枠の取付凹部に取付具が嵌まり込んだ状態となるため、断熱材外枠が取付具から外れにくくなり、構造的に安定な床開閉装置とすることができる。
【００１２】
前記構成において、好ましくは、断熱材外枠は、その上面における取付凹部と連続する位置に当該取付凹部よりも深く掘り下げた掘込部を有し、当接部は、掘込部に係合する突起を有する（請求項３）。
【００１３】
この構成によれば、取付具の突起が掘込部に係合するため、取付具を断熱材外枠に取り付けやすいし、かつ取付具を固定した状態で取付具の位置がズレにくい。
【００１４】
前記構成において、好ましくは、断熱材外枠は、その外側面における取付凹部と連続する位置に当該取付凹部よりも深く掘り下げた吊掛用凹部を有し、保持部は、断熱材外枠の外側面における前記吊掛用凹部と前記取付凹部との境界部に形成された段部に係止される吊掛部を有する（請求項４）。
【００１５】
この構成によれば、断熱材外枠の段部を吊掛部が係止することにより、断熱材外枠を吊り下げた状態で固定することができる。しかも、断熱材外枠が吊り下げ状態で固定されるため、ネジ、釘等を打ち込まずに断熱材外枠を縁部材の下部に取り付けることができる。
【００１６】
前記構成において、好ましくは、断熱材外枠は、断熱材内蓋の外周縁を下から支持する内蓋受け部を有し、内蓋受け部と断熱材内蓋との間に内蓋気密材が挟み込まれる（請求項５）。
【００１７】
この構成によれば、断熱材外枠に断熱材内蓋を取り付けた状態で、内蓋気密材が気密性を発揮しやすいため、断熱材外枠と断熱材内蓋の間から室内に流れ込む冷気を効果的に遮断することができる。
【００１８】
前記とは別の態様として好ましくは、断面略コの字型形状で、室内側に開放面を有し、断熱材外枠が有する開口に取り付けられる床下収納庫をさらに備え、床下収納庫は、断熱材内蓋の外周縁を下から支持する内蓋外周受け部を有し、内蓋外周受け部と断熱材内蓋との間に内蓋外周気密材が挟み込まれる（請求項６）。
【００１９】
この構成によれば、床下収納庫の内蓋外周受け部に断熱材内蓋を取り付けた状態で、内蓋外周気密材が気密性を発揮しやすいため、床下収納庫と断熱材内蓋の間から室内に流れ込む冷気を効果的に遮断することができる。
【発明の効果】
【００２０】
本発明によれば、床下から室内に入り込む冷気を効果的に遮断できる床開閉装置を提供することができる。
【図面の簡単な説明】
【００２１】
【図１】本発明に係る第１実施形態の床開閉装置の上面図である。
【図２】図１のＩＩ−ＩＩ線断面図である。
【図３】断熱材外枠の斜視図である。
【図４】断熱材内蓋の斜視図である。
【図５】図３のＶ−Ｖ線断面図である。
【図６】取付具の斜視図（Ａ）及び側面図（Ｂ）である。
【図７】図２の要部拡大図である。
【図８】第１実施形態における縁部材に取り付ける前の断熱材外枠の斜視図である。
【図９】本発明に係る第２実施形態の床開閉装置の上面図である。
【図１０】図９のＸ−Ｘ線断面図である。
【図１１】床下収納庫の斜視図である。
【図１２】床下収納庫の底面を支持する吊金具の斜視図である。
【図１３】第２実施形態における縁部材に取り付ける前の断熱材外枠の斜視図である。
【図１４】図１０の要部拡大図である。
【図１５】床下点検口の従来例を説明するための図である。
【発明を実施するための形態】
【００２２】
以下添付図面を参照しながら、本発明の実施形態について説明する。なお、以下の実施形態は、本発明を具体化した例であって、本発明の技術的範囲を限定する性格のものではない。
【００２３】
＜第１実施形態：床開閉装置の構成＞
図１は第１実施形態の床開閉装置の上面図であり、図２は図１のＩＩ−ＩＩ線断面図である。第１実施形態の床開閉装置１００は、床板に形成された開口を通じて床下を点検するために設けられる床下点検装置である。第１実施形態の床開閉装置１００は、図１、図２に示すように、室内Ｓ１と床下Ｓ２とを連通する開口Ｋが形成された床板５と、床板５の開口Ｋを囲むように床板５の下面に設けられる縁部材４とを備えた建物の床下に適用される。
【００２４】
床板５は、その表裏がそれぞれ室内Ｓ１及び床下Ｓ２に面する平板状の板材である。開口Ｋは、床板５に形成された四角形状の貫通孔である。縁部材４は、床板５が有する開口の下部に取り付けられた根太４１と、根太４１の内側面に取り付けられた補強根太４２とを有している。根太４１は、床板が有する開口と断面ほぼ同形状の開口を有し、床下側から床板５を支持している。補強根太４２は、根太４１の内側面全周に亘って設けられており、床板５の開口Ｋの下部の一回り内側に位置している。
【００２５】
第１実施形態の床開閉装置１００は、図１及び図２に示すように、床板５の開口Ｋの周縁に沿って設けられる枠部材７と、当該枠部材７が有する開口を閉鎖できる形状を有する床蓋３と、当該床蓋３の床下において、補強根太４２（縁部材４）の下方に配置された断熱材外枠１と、床蓋３の下方に配置された断熱材内蓋２とを備えている。
【００２６】
枠部材７は、開口Ｋの周縁に沿って設けられる四角形状の枠材である。枠部材７の床下側の周縁部は縁部材４に支持されている。床蓋３は、枠部材７の開口を塞ぐことができる所定厚みを有する平板状の板材である。床蓋３は、床蓋自体を枠部材１から取り外すための把手３１を有している。床蓋３は、強度を高めるために下面に補強部材３０が取り付けられている。図１の点線は補強部材３０の外周を示している。
【００２７】
図３は、断熱材外枠の斜視図である。断熱材外枠１は、図３に示すように上下に貫通する開口を有する四角形状の枠材であり、当該四角形状の各辺の内側面の下部を内側方向（断熱材内蓋２の中心側）に突出させた内蓋受け部１２を有している。内蓋受け部１２は、断熱材内蓋２の外周縁を下から支持するために設けられている。内蓋受け部１２の上面に断熱材内蓋２を載せることで、断熱材外枠１内に断熱材内蓋２を固定している。
【００２８】
図４は、断熱材内蓋の斜視図である。断熱材内蓋２は、断熱材外枠１が有する開口よりも一回り小さいブロック（略四角柱）状の断熱材であり、その厚みは断熱材外枠１と同程度である。断熱材内蓋２は、断熱材外枠１とともに床下Ｓ２から室内Ｓ１への冷気の流入を遮断している。断熱材外枠１及び断熱材内蓋２に用いられる断熱材は、例えば発泡ポリスチレンや発泡ウレタンなど、断熱性に優れた樹脂材料からなる。
【００２９】
図４に示すように断熱材内蓋２の上面には、断熱材外枠１に嵌め込んだ状態の断熱材内蓋２を取り外すための持ち手２１が２つ取り付けられている。ただし図４においては、持ち手２１の形状を明確にすべく、持ち手２１の１つは取り付ける寸前の状態を示している。持ち手２１は接着剤等によって断熱材内蓋２の上面に接着されている。図４に示す断熱材内蓋２の上面の凹凸形状（所々に凸部及び凹部を設けた形状）は、後述する第２実施形態の床蓋３の下部に取り付けられる補強桟３０’の形状に対応している。
【００３０】
断熱材外枠１は、図３に示すように、各辺中央の上面から外側面に亘って深さ方向に窪んだ取付凹部１１を１つずつ計４つ設けている。この取付凹部１１は取付具６を取り付けるための凹部である。この取付凹部１１のそれぞれに取付具６を取り付けて、当該取付具６を縁部材４に固定することで、取付具６を介して縁部材４に断熱材外枠１を吊り下げ状態で固定している。以下に取付凹部１１及びそれに嵌め込まれる取付具６を説明する。
【００３１】
図５は、図３の断熱材外枠のＶ−Ｖ面（取付凹部１１を含む面）断面図であり、図６は、取付具の斜視図（Ａ）及び側面図（Ｂ）である。図７は、図２の要部拡大図である。図７に示すように、断熱材外枠１を補強根太４２（縁部材４）の下部に取り付けた後は、図６の取付具６が図５に示す断熱材外枠１の取付凹部１１に嵌まり込んだ状態となる。
【００３２】
断熱材外枠１は、図５に示すように、取付具６を嵌め込むための上述した取付凹部１１と、断熱材外枠１の上面における取付凹部１１と連続する位置に取付凹部１１よりも深く掘り下げた掘込部１３と、断熱材外枠１の側面における取付凹部１１と連続する位置に取付凹部１１よりも深く掘り下げた吊掛用凹部１４と、を有している。吊掛用凹部１４と取付凹部１１との境界部には段部１５が形成されている。
【００３３】
取付凹部１１の溝深さは、取付具６の厚みと同一である。これにより取付具６を取付凹部１１に取り付けたときに、取付具６の上面と断熱材外枠１の上面が同一平面となる。
【００３４】
一方、取付凹部１１に取り付ける取付具６は、図６（Ａ）、（Ｂ）に示すように、断熱材外枠１の外側面の上部を保持する保持部６０と、縁部材４の内側面に当接して固定される固定部６１と、後述する気密材９ｂを介して縁部材４の下面に当接する当接部６２と、縁部材４の内側面との間に隙間が生じるように固定部６１よりも断熱材内蓋２の中心側に向けて突出した固定凸部６３と、を有している。
【００３５】
保持部６０は、断熱材外枠１の外側面における段部１５に係止される吊掛部６０ａを有している。吊掛部６０ａは、保持部６０の下端を起点として水平方向からやや斜め上に向けて延びている。この吊掛部６０ａを段部１５に引っ掛けた上で、固定部６１を縁部材４の内側面に固定することにより、縁部材４の下部に断熱材外枠１が吊り下がった状態となる。
【００３６】
固定部６１は、その表裏を貫通する挿通孔６１ａを有している。この挿通孔６１ａにネジ、釘等を打ち込むことで縁部材４の内側面に取付具６を固定している。
【００３７】
当接部６２は、掘込部１３に係合する突起６２ａを有している。この突起６２ａを掘込部１３に係合させることで、取付具６を取付凹部１１に固定しやすく、かつ取付具６が取付凹部１１から外れにくくなる。
【００３８】
固定凸部６３は、その表裏を貫通する挿通孔６３ａを有している。固定凸部６３は、後述する第２実施形態の床下収納庫の取付け時に用いる部位である。
【００３９】
＜断熱構造＞
第１実施形態の床開閉装置１００は、図７に示されるように、各部材の接触部分に気密材９ａ〜９ｄを挟み込むことで床下から室内に冷気が流れ込むのを遮断している。本発明の床開閉装置１００は、各部材の接触部分の全てに気密材を設けているため、各部材の接触部分の隙間から室内に流れ込む冷気を効果的に遮断することができている。
【００４０】
図７に示すように、断熱材外枠１の上面と縁部材４の下面との間に気密材９ｂが挟み込まれている。また断熱材外枠１の内蓋受け部１２と断熱材内蓋２との間に内蓋気密材９ａが挟み込まれている。
【００４１】
図８は、縁部材に取り付ける前の断熱材外枠の斜視図である。内蓋気密材９ａは、図８に示すように、内蓋受け部１２の上部全周に亘って設けられている。内蓋気密材９ａは、内蓋受け部１２に断熱材内蓋２を載せたときに断熱材内蓋２の重みを受けて弾性変形することにより気密性を発揮し、断熱材外枠１と断熱材内蓋２の隙間から室内に流れ込む冷気を遮断している。
【００４２】
気密材９ｂは、図８に示すように、断熱材外枠１の上部全周に亘って設けられている。気密材９ｂは、断熱材外枠１を縁部材４に取り付けたときに、両者に挟み込まれて弾性変形することにより気密性を発揮し、断熱材外枠１と縁部材４の間から室内に流れ込む冷気を遮断している。
【００４３】
図７に示すように、枠部材７と床板５の間に外枠気密材９ｃが挟み込まれている。外枠気密材９ｃは、床板５の開口Ｋの縁の全周に亘って設けられており、床板５に枠部材７を取り付ける時に枠部材７を外枠気密材９ｃに押し付けて固定することにより外枠気密材９ｃが弾性変形して気密性を発揮し、枠部材７と床板５の間から室内に流れ込む冷気を遮断している。
【００４４】
床蓋３の縁には床蓋枠３２が取り付けられており、当該床蓋枠３２の周縁部が枠部材７に支持されている。そして、床蓋枠３２と枠部材７の間に床蓋気密材９ｄが挟み込まれている。床蓋気密材９ｄは、床蓋枠３２の下面全周に亘って設けられており、床蓋３の重みを受けて弾性変形することにより気密性を発揮し、床蓋枠３２と枠部材７の間から室内に流れ込む冷気を遮断している。
【００４５】
内蓋気密材９ａ、気密材９ｂ、外枠気密材９ｃ及び床蓋気密材９ｄは、それ自体が圧縮されることで気密性を発揮する弾性材料で構成されており、例えば軟質発泡ポリエチレン、軟質発泡ウレタンなどの合成樹脂系、エチレン・プロピレン・ジエンゴム（ＥＰＤＭ）、等の合成ゴム系等が挙げられる。上記気密材９ａ〜９ｄはいずれも、四角形の枠組形状である。
【００４６】
＜床開閉装置の取付方法及び使用方法＞
まず、図３に示す断熱材外枠１の取付凹部１１に対して取付具６を接着剤等で貼り付ける。その後、断熱材外枠１の上部に気密材９ｂを取り付ける。これにより図８に示す状態の断熱材外枠となる。図８の状態の取付具６の固定部６１を縁部材４（補強根太４２）の内側面に当接した状態で、固定部６１の挿通孔６１ａにネジ又は釘を打ちつけることにより縁部材４に取付具６を取り付ける。この取り付けは、気密材９ｂがその気密性を発揮しやすいように、補強根太４２の下部に対して断熱材外枠１を上方向に押しつけながら行なう。次に、断熱材外枠１の内蓋受け部１２に断熱材内蓋２を固定する。そして、枠部材７に床蓋３を取り付けることによって、第１実施形態の床開閉装置１００を取り付けることができる。取り付け後の床開閉装置１００において、床下を点検するときには、床蓋３、断熱材内蓋２をこの順に取り外すことで、断熱材外枠１を取り外さずとも床下を点検することができる。
【００４７】
＜作用等＞
第１実施形態に係る床開閉装置１００によれば、気密材９ｂを設けているため、断熱材外枠１と縁部材４との間から室内に入り込む冷気を遮断できる。これにより床下から室内に入り込む冷気を効果的に遮断することができる。
【００４８】
また断熱材外枠１が取付具６を取り付けるための取付凹部１１を有することにより、断熱材外枠１の取付凹部１１に取付具６が嵌まり込んだ状態となるため、断熱材外枠１が取付具６から外れにくくなり、構造的に安定な床開閉装置とすることができる。しかも、取付具６を縁部材４に固定するときに、気密材９ｂを圧縮する方向に力を加えながら断熱材外枠１を固定しているため、取り付け後にも気密材９ｂが気密性を発揮している。
【００４９】
その上、取付凹部１１の溝深さと取付具６の厚みが同一であるため、取付凹部１１に取付具６を取り付けたときに、取付具６の上面が断熱材外枠１の上面と同一平面となり、これらの上面に取り付ける気密材９ｂの構造が単純になるし、気密材９ｂを取り付けたときに、取付具６と断熱材外枠１の間、取付具６と気密材９ｂの間、及び断熱材外枠１と気密材９ｂの間、の各部材間で隙間が生じにくい構成となり、床開閉装置１００の断熱性能がに高められる。
【００５０】
取付具６が断熱材外枠１の上面の掘込部１３に係合する突起６２ａを有することにより、取付具６を断熱材外枠１に固定しやすいし、かつ固定した状態で取付具６の位置がズレにくい。
【００５１】
保持部６０が断熱材外枠１の外側面の段部１５に吊り下げる吊掛部６０ａを有することにより、吊掛部６０ａによって断熱材外枠１を吊り下げ状態で固定することができるため、ネジ、釘等を打ち込まずに断熱材外枠１を縁部材４の下部に取り付けることができる。
【００５２】
内蓋受け部１２と断熱材内蓋２との間に内蓋気密材９ａを挟み込むことにより、内蓋気密材９ａが断熱材内蓋２の重みを受けて弾性変形して気密性を発揮し、断熱材外枠１と断熱材内蓋２の隙間から室内に流れ込む冷気を効果的に遮断することができる。
【００５３】
＜変形例＞
第１実施形態においては、縁部材４として根太４１及び補強根太４２を用い、補強根太４２に取付具６を取り付けているが、補強根太４２は必須ではなく、根太４１に対して取付具６を取り付けてもよい。ただし、理想的には、図７に示すように、縁部材４として根太４１及び補強根太４２を設け、取付具６を補強根太４２に固定した状態において、取付具６の側面の一部が根太４１に当接するように固定されるように構成することである。このように取り付けることにより、断熱材外枠１を縁部材４の下部に安定して固定することができる。
【００５４】
取付具６に設けられた固定凸部６３は、第１実施形態においては取付具６の必須部位ではない。
【００５５】
保持部６０の吊掛部６０ａを断熱材外枠１の外側面の段部１５に引っ掛けることで、断熱材外枠１の上部を吊り下げているが、吊掛部６０ａを設けずに保持部６０に貫通孔を設け、当該貫通孔にネジや釘を打ちつけて断熱材外枠１の外側面に保持部６０を固定してもよい。
【００５６】
本発明の床開閉装置は、第１実施形態の床下点検口に適用する場合のみに限られない。そこで、以下の第２実施形態において、床下点検口以外の本発明の床開閉装置の適用例として床下収納庫の場合を説明する。
【００５７】
＜第２実施形態＞
図９は、第２実施形態の床開閉装置の上面図（第１実施形態の図１相当図）であり、図１０は、図９のＸ−Ｘ線断面図（第１実施形態の図２相当図）である。第２実施形態の床開閉装置２００は、図１０に示すように、床下に物品を収納するための床下収納庫５３を取り付けたものである。
【００５８】
第２実施形態の床開閉装置２００は、第１実施形態における断熱材外枠１と断熱材内蓋２との間に床下収納庫５３を取り付けたことが異なる他は第１実施形態と同様であるが、かかる床下収納庫５３の取り付けに伴い、その周辺部材の形状及び構成も一部変更している。以下においては、第１実施形態の床開閉装置１００に対する変更部分を説明し、第１実施形態のそれと同一部分の説明は繰り返さない。なお、第２実施形態における各部材の参照番号の表記に関し、第１実施形態における各部材と同一のものには同一の参照符号を付し、一部変更を加えたものには参照符号の末尾にダッシュ（’）を付している。
【００５９】
第２実施形態の床開閉装置２００は、図９に示されるように、床蓋３の強度を高める部材として、第１実施形態の板状の補強部材３０（図１の点線）に代えて３本の長尺部材である補強桟３０’を取り付けている。図９の点線は補強桟３０’の外周を示している。断熱材内蓋２の上面は、図４に示すように補強桟３０’を嵌め込めるような凹凸形状としている。このような補強桟３０’に代えた理由は、床下収納庫５３の収納スペースを最大限確保すべく、最小厚みで床蓋３を補強したいが故である。
【００６０】
第２実施形態の床開閉装置２００は、図１０に示すように、断熱材外枠１’が有する開口内に断面略コの字型形状で室内側に開放面を有する床下収納庫５３を固定した上で、当該開放面に断熱材内蓋２を取り付けている。つまり、断熱材内蓋２は、断熱材外枠１’ではなく床下収納庫５３に取り付けられている。
【００６１】
図１１は床下収納庫の斜視図である。床下収納庫５３は、図１１に示すように、コの字型形状の上端の全外周を折り返した折返部５３ｂと、内側面を内側方向（床下収納庫５３の中心側）に突出させた内蓋外周受け部５３ａと、を有している。
【００６２】
折返部５３ｂは、図１０に示すように、枠部材７の底面（補強根太４２の上面）に引っ掛けて床下収納庫５３を保持するために設けられている。
【００６３】
内蓋外周受け部５３ａは、機能的には、第１実施形態における断熱材外枠１の内蓋受け部１２に相当し、断熱材内蓋２の外周縁を下から支持するための部位である。第２実施形態においては、床下収納庫５３に内蓋外周受け部５３ａを設けているため、断熱材外枠１’には内蓋受け部１２を設けていない。
【００６４】
内蓋外周受け部５３ａの位置に関して、内蓋外周受け部５３ａは、断熱材内蓋２を取り付けたときに断熱材内蓋２の上部が床蓋３の底面（補強桟３０’を設ける場合はその底面）に丁度当接しない程度の位置となるように床下収納庫５３の内側面に設けられている。この位置に設ける理由は、収納スペースをなるべく広く確保する観点から床下収納庫５３の内側面の可能な限り上部に内蓋外周受け部５３ａを設けることが好ましいからである。そして、内蓋外周受け部５３ａの上部全周に内蓋外周気密材９ａ’を設けている。
【００６５】
内蓋外周受け部５３ａは、その対辺の上面において、深さ方向（鉛直下向き方向）に延びる三対の切欠溝５４を有している。この切欠溝５４は、床下収納庫５３の収納スペースを小分けにする仕切りを挿入するために設けている。
【００６６】
図１２は、床下収納庫の底面を支持する吊金具の斜視図である。床下収納庫５３は、その底面を吊金具５１によって支持された状態で床下に固定されている。吊金具５１は、その両端に１本ずつ計２本の縦桟５２の一端が取り付けられている。２本の縦桟５２の他端はそれぞれ取付具６の固定凸部６３の挿通孔６３ａにネジ、釘等を打ち込むことで固定凸部６３に取り付けられている。
【００６７】
図１３は、断熱材外枠に取付具及び気密材を取り付けた後の状態を示す斜視図であり、第１実施形態の図８相当図である。図１３に示されるように、第２実施形態で用いる断熱材外枠１’は、以下の（１）〜（３）の３点が異なる他は第１実施形態のそれと同一である。
（１）断熱材外枠１’の内側面のうちの縦桟５２と接触する部分に縦桟５２を嵌め込むための桟凹部１８を設けたこと。
（２）断熱材外枠１’の内側面の全周を囲うように収納庫気密材９ｆを設けたこと。
（３）内蓋受け部１２及びその上に設けられる内蓋気密材９ａを有しないこと。
【００６８】
上記（１）の桟凹部１８は、縦桟５２が左右に振れて床下収納庫５３がガタつくことを防止するために設けられている。桟凹部１８の溝深さは、縦桟５２の厚みと同一である。これにより縦桟５２を桟凹部１８に取り付けたときに、断熱材外枠１’の内側面と縦桟５２の側面が同一平面となる。
【００６９】
上記（２）の収納庫気密材９ｆは、断熱材外枠１と床下収納庫５３の間から室内に流れ込む冷気を遮断している。断熱材外枠１’の内側面と縦桟５２の側面が同一平面となっているため、収納庫気密材９ｆの構成を単純にすることができるし、収納庫気密材９ｆを断熱材外枠１’の内側面に当接させやすい。
【００７０】
上記（３）の理由は、上記で述べたとおり、内蓋受け部１２と同等の機能を果たす部分として、床下収納庫５３に内蓋外周受け部５３ａ及び内蓋外周気密材９ａ’を設けているからである。
【００７１】
＜断熱構造＞
図１４は、図１０の要部拡大図であり、第１実施形態の図７相当図である。第２実施形態の床開閉装置２００は、図１４に示されるように、各部材の接触部分に気密材９ａ’、９ｂ〜９ｄ、９ｆを挟み込むことで冷気が床下から室内に流れ込むのを遮断している。
【００７２】
内蓋外周気密材９ａ’は、第１実施形態の内蓋気密材９ａに相当し、内蓋外周受け部５３ａに断熱材内蓋２を載せたときに断熱材内蓋２の重みを受けて弾性変形することにより気密性を発揮し、床下収納庫５３と断熱材内蓋２の隙間から室内に流れ込む冷気を遮断している。
【００７３】
収納庫気密材９ｆは、断熱材外枠１と床下収納庫５３との間に挟み込まれており、断熱材外枠１に床下収納庫５３を載せたときに床下収納庫５３の重みを受けて弾性変形することにより気密性を発揮し、床下収納庫５３と断熱材内蓋２の隙間から室内に流れ込む冷気を遮断している。
【００７４】
第２実施形態においては、上記各部に気密材を設けることにより、床下収納庫５３を取り付けた場合でも床下から室内に流れ込む冷気を効果的に遮断することができる。
【符号の説明】
【００７５】
Ｓ１  室内
Ｓ２  床下
Ｋ  開口
１、１’  断熱材外枠
１１  取付凹部
１２  内蓋受け部
１３  掘込部
１４  吊掛用凹部
１５  段部
２  断熱材内蓋
３  床蓋
４  縁部材
４１  根太
４２  補強根太
５  床板
６  取付具
６０  保持部
６１  固定部
６２  当接部
６３  固定凸部
７  枠部材
９ａ  内蓋気密材
９ａ’  内蓋外周気密材
９ｂ  気密材
９ｃ  外枠気密材
９ｄ  床蓋気密材
５３  床下収納庫
５３ａ  内蓋外周受け部
５３ｂ  折返部
１００、２００  床開閉装置
【図１】
2016160595.tif 000003
【図２】
2016160595.tif 000004
【図３】
2016160595.tif 000005
【図４】
2016160595.tif 000006
【図５】
2016160595.tif 000007
【図６】
2016160595.tif 000008
【図７】
2016160595.tif 000009
【図８】
2016160595.tif 000010
【図９】
2016160595.tif 000011
【図１０】
2016160595.tif 000012
【図１１】
2016160595.tif 000013
【図１２】
2016160595.tif 000014
【図１３】
2016160595.tif 000015
【図１４】
2016160595.tif 000016
【図１５】
2016160595.tif 000017